(57)【要約】      （修正有）【課題】床面や舗装路面の付着物を柔軟性と適度な硬度を有するスクレーパー状のボードを活用することで、容易かつ簡便に掻き取ることができるようにした掃除具を提供する。【解決手段】断面コの字（溝）の横枠１に手押し部となる長柄２と支枠３を取付けた掃除具本体４の長柄枠１の溝５に、柔軟性（含弾力性）と強靭性と耐久性を具備した超高分子量合成樹脂板のボード６を挟持させて成り、長柄２をもってボード６の前縁７で掻くように使用される。前縁７が磨耗した場合はボード６を切りつめるか、ボルト８を取外しボードを交換して使用する。【選択図】図１
0003174694.tif 000002
【実用新案登録請求の範囲】
【請求項１】
ダスチャー本体とダスチャー本体に一体の長尺な手押し部とからなる掃除具において、ダスチャー本体と前縁に柔軟性と硬度を具備したボードを取着するとともに、ダスチャー本体に対して手押し部が三股に取着されて成る清掃用具。
【請求項２】
前述ボードが超高分子量ポリエチレン系合成樹脂板からなる請求項１記述の清掃用具。
【考案の詳細な説明】
【技術分野】
【０００１】この考案は、床面や舗装路面の付着物をスクレーパー状のボードで掻き取るダスチャーに関する。
【背景技術】
【０００２】クロスやタイルを剥ぎ取るスクレーパー用刃があるが、綱板からなるもので剥ぎ取りには強いが路面の土砂等の削ぎ取る柔軟性に欠けている。又、ホーキにケンレ棒を組み込んだケレンボーキの清掃具は先端が鋭利な刃物のため前記同様路面鉄板の凹凸に馴染まず剥ぎ取りには丕適当である。又、ビニール製の竹ボーキ状のホーキがあるが、穂先が硬く、細かい土砂、汚れには非常に掃きにくく、掃き巾が狭いので作業効率はよくない。
【考案の概要】
【考案が解決しようとする課題】
【０００３】この考案は、土石等の付着した鉄板や舗装路面に当接する柔軟性をもち凹凸に係止されない強靭性をもち、路面を掻く硬度を具備した超高分子量ポリエチレン系合成樹脂板を使用することにより、前記鉄板や舗装路面に付着した土砂や汚れを簡便かつ容易に掻き取れるようにしようとするものである。
【課題を解決するための手段】
【０００４】この考案は、前記柔軟性と強靭性を具備した超高分子量ポリエチレン系合成樹脂板を使用した。このものは構造体パレットを多段積みするとき、下に位置する製品物を保護するためのもので適度の硬さを有し加重を均等に分散して、下部の製品を保護する目的で販売されている。
この考案は手押し部がダスチャー本体に対して三股状に接合され、ダスチャー本体の前端に超高分子量ポリエチレン系合成樹脂板を取り付けて、汚れた路面を掻く事により解決した。
【考案の効果】
【０００５】工場等の広場や通路に敷設された鉄板或いは舗装面に付着する土砂或いは付着物は通常の掃除具では除去に手数がかかるが、この考案ではダスチャー本体の前端に柔軟性と適度な硬度を具備したボードを用いて掻くことから、容易かつ簡便に剥離除去することができる。
【図面の簡単な説明】
【０００６】
【図１】この考案ダスチャーの長柄の一部を省略した斜視図。
【考案を実施するための形態】
【０００７】ダスチャー本体に接合される手押し部の三股を構成する長柄とその左右に一体の支枠はダスチャー本体の幅方向に対して平行に取り付けられるものや、上方又は下方に所要の角度で取着されるものも提供される。
また、長柄部の柄は丸棒もあるが滑りににくく使い易い角状（６角、８角）の柄を取着したものも提供される。
【実施例】
【０００８】図１に示すように断面コの字（溝）の横枠１に手押し部となる長柄２と支枠３を取付けたダスチャー本体４の長柄枠１の溝５に、柔軟性（含弾力性）と強靭性と耐久性を具備した超高分子量合成樹脂板のボード６を挟持させて成り、長柄２をもってボード６の前縁７で掻くように使用される。前縁７が磨耗した場合はボード６を切りつめるか、ボルト８を取外しボードを交換して使用する。
【産業上の利用可能性】
【０００９】工場、作業場に限らずトラック等の床面。車庫、駅構内路面の掃除に好適な掃除具である。
【符号の説明】
【００１０】１：横長柄
２：長柄
３：支枠
４：ダスチャー本体
５：溝
６：ボード
７：前縁
９：ボルト
【図１】
0003174694.tif 000003
【手続補正書】
【提出日】平成23年12月19日(2011.12.19)
【手続補正１】
【補正対象書類名】実用新案登録請求の範囲
【補正対象項目名】全文
【補正方法】変更
【補正の内容】
【実用新案登録請求の範囲】
【請求項１】
掃除具と掃除具本体に一体の長尺な手押し部とからなる掃除具において、掃除具本体と前縁に柔軟性と硬度を具備したボードを取着するとともに、掃除具本体に対して手押し部が三股に取着されて成る掃除具。
【手続補正３】
【補正対象書類名】明細書
【補正対象項目名】０００１
【補正方法】変更
【補正の内容】
【０００１】この考案は、床面や舗装路面の付着物をスクレーパー状のボードで掻き取る掃除具に関する。
【手続補正４】
【補正対象書類名】明細書
【補正対象項目名】０００４
【補正方法】変更
【補正の内容】
【０００４】この考案は、前記柔軟性と強靭性を具備した超高分子量ポリエチレン系合成樹脂板を使用した。このものは構造体パレットを多段積みするとき、下に位置する製品物を保護するためのもので適度の硬さを有し加重を均等に分散して、下部の製品を保護する目的で販売されている。この考案は手押し部が掃除具本体に対して三股状に接合され、掃除具本体の前端に超高分子量ポリエチレン系合成樹脂板を取り付けて、汚れた路面を掻く事により解決した。
【手続補正５】
【補正対象書類名】明細書
【補正対象項目名】０００５
【補正方法】変更
【補正の内容】
【０００５】工場等の広場や通路に敷設された鉄板或いは舗装面に付着する土砂或いは付着物は通常の掃除具では除去に手数がかかるが、この考案では掃除具本体の前端に柔軟性と適度な硬度を具備したボードを用いて掻くことから、容易かつ簡便に剥離除去することができる。
【手続補正６】
【補正対象書類名】明細書
【補正対象項目名】０００６
【補正方法】変更
【補正の内容】
【０００６】
【図１】この考案掃除具の長柄の一部を省略した斜視図。
【手続補正７】
【補正対象書類名】明細書
【補正対象項目名】０００７
【補正方法】変更
【補正の内容】
【０００７】掃除具本体に接合される手押し部の三股を構成する長柄とその左右に一体の支枠は掃除具本体の幅方向に対して平行に取り付けられるものや、上方又は下方に所要の角度で取着されるものも提供される。また、長柄部の柄は丸棒もあるが滑りににくく使い易い角状（６角、８角等を含む多角形）の柄を取着したものも提供される。
【手続補正８】
【補正対象書類名】明細書
【補正対象項目名】０００８
【補正方法】変更
【補正の内容】
【０００８】図１に示すように断面コの字（溝）の横枠１に手押し部となる長柄２と支枠３を取付けた掃除具本体４の長柄枠１の溝５に、柔軟性（含弾力性）と強靭性と耐久性を具備した超高分子量合成樹脂板のボード６を挟持させて成り、長柄２をもってボード６の前縁７で掻くように使用される。前縁７が磨耗した場合はボード６を切りつめるか、ボルト８を取外しボードを交換して使用する。
【手続補正９】
【補正対象書類名】明細書
【補正対象項目名】００１０
【補正方法】変更
【補正の内容】
【００１０】１：横長柄２：長柄３：支枠４：掃除具本体５：溝６：ボード７：前縁８：ボルト
【手続補正１０】
【補正対象書類名】図面
【補正対象項目名】全図
【補正方法】変更
【補正の内容】
【図１】
0003174694.tif 000004